【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
基体と、ターンテーブルと、ディスクに記録された情報を読み取るピックアップと、前記ターンテーブルに回転軸が固定される駆動モータと、前記駆動モータと前記基体とを固定する取り付け部材とを備え、
前記基体には、少なくとも２つの基準軸が固設され、
前記取り付け部材には、前記基準軸が嵌入された状態で、前記ピックアップの移動方向に対して垂直なタンジェンシャル方向のみに移動可能なように形成された少なくとも２つの通孔が設けられ、
前記取り付け部材は、前記通孔に前記基準軸を嵌入した状態でタンジェンシャル方向に移動することにより、前記基体に対して位置決めされることを特徴とするディスク再生装置。
【請求項２】
前記２つの通孔のうち、一方の通孔の長さ寸法は、他方の通孔の長さ寸法よりも短く設定されるとともに、一方の通孔は、前記タンジェンシャル方向に対する位置決め用として、他方の通孔は、前記タンジェンシャル方向に対する逃げ孔用として機能することを特徴とする請求項１に記載のディスク再生装置。
【請求項３】
前記通孔の幅寸法は、前記基準軸の幅寸法とほぼ同一の寸法に選定されていることを特徴とする請求項１または２に記載のディスク再生装置。
【請求項４】
前記基準軸は、前記基体を構成する材料と同一の材料により一体成形されていることを特徴とする請求項１、２または３に記載のディスク再生装置。
【手続補正２】
【補正対象書類名】明細書
【補正対象項目名】発明の名称
【補正方法】変更
【補正の内容】
【発明の名称】ディスク再生装置
【手続補正３】
【補正対象書類名】明細書
【補正対象項目名】０００１
【補正方法】変更
【補正の内容】
【０００１】
本発明は、車載用のオーディオ機器として利用されるＭＤ（ミニディスク）などを再生するディスク再生装置に関し、特にディスクの音声情報を再生するために、ディスクをセット（載置）するターンテーブルとピックアップとの相対的な位置決めをおこなうことのできるディスク再生装置に関する。
【手続補正４】
【補正対象書類名】明細書
【補正対象項目名】００１３
【補正方法】変更
【補正の内容】
【００１３】
そこで、この発明は、上述した従来技術による問題点を解消するためになされたものであり、ターンテーブルに対するタンジェンシャル方向の位置調整を実施しても、ラジアル方向の位置精度を高精度に確保することができるディスク再生装置を提供することを目的とする。
【手続補正５】
【補正対象書類名】明細書
【補正対象項目名】００１４
【補正方法】変更
【補正の内容】
【００１４】
上述した課題を解決し、目的を達成するために、請求項１に係るディスク再生装置は、ディスク再生装置を構成する基体と、ターンテーブルと、ディスクに記録された情報を読み取るピックアップと、前記ターンテーブルに回転軸が固定される駆動モータと、前記駆動モータと前記基体とを固定する取り付け部材とを備え、前記基体には、少なくとも２つの基準軸が固設され、前記取り付け部材には、前記基準軸が嵌入された状態で、前記ピックアップの移動方向に対して垂直なタンジェンシャル方向のみに移動可能なように形成された少なくとも２つの通孔が設けられ、前記取り付け部材は、前記通孔に前記基準軸を嵌入した状態でタンジェンシャル方向に移動することにより、前記基体に対して位置決めされることを特徴とする。
【手続補正６】
【補正対象書類名】明細書
【補正対象項目名】００１５
【補正方法】変更
【補正の内容】
【００１５】
この請求項１の発明によれば、ディスク再生装置は、基体と、ターンテーブルと、ディスクに記録された情報を読み取るピックアップと、ターンテーブルに回転軸が固定される駆動モータと、駆動モータと前記基体とを固定する取り付け部材とを備え、基体には、少なくとも２つの基準軸が固設され、取り付け部材には、基準軸が嵌入された状態で、ピックアップの移動方向に対して垂直なタンジェンシャル方向のみに移動可能なように形成された少なくとも２つの通孔が設けられるので、２つの通孔と基準軸との係合により、ターンテーブルに対するラジアル方向への位置ズレ（移動）を規制することができる。
【手続補正７】
【補正対象書類名】明細書
【補正対象項目名】００１６
【補正方法】変更
【補正の内容】
【００１６】
また、請求項２に係るディスク再生装置は、請求項１に記載の発明において、前記２つの通孔のうち、一方の通孔の長さ寸法は、他方の通孔の長さ寸法よりも短く設定されるとともに、一方の通孔は、前記タンジェンシャル方向に対する位置決め用として、他方の通孔は、前記タンジェンシャル方向に対する逃げ孔用として機能することを特徴とする。
【手続補正８】
【補正対象書類名】明細書
【補正対象項目名】００１７
【補正方法】変更
【補正の内容】
【００１７】
この請求項２の発明によれば、取り付け部材に形成される２つの通孔のうち、一方の寸法が短く設定された通孔は、タンジェンシャル方向に対する位置決め用として、他方の寸法が長く設定された通孔は、タンジェンシャル方向に対する逃げ孔用として使用する。
【手続補正９】
【補正対象書類名】明細書
【補正対象項目名】００１８
【補正方法】変更
【補正の内容】
【００１８】
また、請求項３に係るディスク再生装置は、請求項１または２に記載の発明において、前記通孔の幅寸法は、前記基準軸の幅寸法とほぼ同一の寸法に選定されていることを特徴とする。
【手続補正１０】
【補正対象書類名】明細書
【補正対象項目名】００１９
【補正方法】変更
【補正の内容】
【００１９】
この請求項３の発明によれば、取り付け部材に形成される通孔の幅寸法は、基準軸の幅寸法（外径寸法）とほぼ同一の寸法に選定し、この選定された幅寸法となるようにシャーシに形成されている。
【手続補正１１】
【補正対象書類名】明細書
【補正対象項目名】００２０
【補正方法】変更
【補正の内容】
【００２０】
また、請求項４に係るディスク再生装置は、請求項１、２または３に記載の発明において、前記基準軸は、前記基体を構成する材料と同一の材料により一体成形されていることを特徴とする。
【手続補正１２】
【補正対象書類名】明細書
【補正対象項目名】００２２
【補正方法】変更
【補正の内容】
【００２２】
請求項１に記載の発明によれば、ターンテーブルを高速回転させる駆動モータの取り付け板は、３本のネジによりシャーシに対して固定（締結）されるとともに、シャーシの所定位置には一対の基準ピンが立設され、取り付け部材には２つの通孔が形成され、これら２つの通孔には基準めピンが嵌入されるので、２つの通孔に嵌入される基準決めピンにより、ターンテーブルの組み付け時に、このターンテーブルがラジアル方向に対する位置ズレすることを規制するとともに、タンジェンシャル方向に対する調整を正確且つ、精度良く、安定した状態でおこなうことができるという効果を奏する。この結果、ターンテーブルに対するタンジェンシャル方向の位置調整を実施しても、ラジアル方向の位置精度を高精度に確保することができるという効果を奏する。また、ピックアップによる読み取り精度にバラツキがなくなるため、音楽情報などの再生性能を向上できるという効果を奏する。
【手続補正１３】
【補正対象書類名】明細書
【補正対象項目名】００２３
【補正方法】変更
【補正の内容】
【００２３】
また、請求項２に記載の発明によれば、取り付け部材に形成される２つの通孔のうち、一方の寸法の短い通孔は、タンジェンシャル方向に対する位置決め用として使用し、他方の寸法の長い通孔は、タンジェンシャル方向に対する逃げ孔用として使用することができるので、ラジアル方向に対する位置ズレを規制するとともに、タンジェンシャル方向に対する位置決め調整を安定した状態で、正確におこなうことができるという効果を奏する。
【手続補正１４】
【補正対象書類名】明細書
【補正対象項目名】００２４
【補正方法】変更
【補正の内容】
【００２４】
また、請求項３に記載の発明によれば、取り付け部材に形成される通孔の幅寸法は、基準軸の幅寸法（外径寸法）とほぼ同一の寸法に選定し、この選定された幅寸法となるようにシャーシに形成するので、ターンテーブルに対するラジアル方向への移動を確実に規制することができるという効果を奏する。この結果、ターンテーブルの組み付け時に、このターンテーブルに対するラジアル方向およびタンジェンシャル方向の調整を正確且つ容易におこなうことができ、ターンテーブルに対するタンジェンシャル方向の位置調整を実施しても、ラジアル方向の位置精度を高精度に確保することができるという効果を奏する。
【手続補正１５】
【補正対象書類名】明細書
【補正対象項目名】００４０
【補正方法】変更
【補正の内容】
【００４０】
以上説明したように、本発明のディスク再生装置では、取り付け板４１には横長の一対の通孔４８、４９が形成され、これら通孔４８、４９にはシャーシ２０に固設された基準ピン２１が嵌入され、この基準ピン２１と通孔４８、４９との係合により、ターンテーブル３０の組み付け時に、ラジアル方向に対する位置ズレ（移動）を規制するので、タンジェンシャル方向に対する調整を正確に、且つ、精度良くおこなうことができるうえ、ターンテーブルに対するタンジェンシャル方向の位置調整を実施しても、ラジアル方向の位置精度を高精度に確保することができる。
【手続補正１６】
【補正対象書類名】明細書
【補正対象項目名】００４１
【補正方法】変更
【補正の内容】
【００４１】
なお、前述した実施例１では、本発明のディスク再生装置をＭＤ用のＭＤ再生装置に適用するものとしているが、本発明は、ＭＤ用のＭＤ再生装置だけではなく、ＣＤ（CompactDisc）或いは、ＤＶＤ（DigitalVideoDisc）をディスクとする各再生機のターンテーブルの位置決め機構として適用することができる。
【手続補正１７】
【補正対象書類名】明細書
【補正対象項目名】００４２
【補正方法】変更
【補正の内容】
【００４２】
以上のように、本発明のディスク再生装置は、車載用のオーディオ装置として自動車に搭載されるＭＤ再生装置のターンテーブルの位置決め機構に適している。